(57)【特許請求の範囲】
【請求項１】
収納キャビネットと、前記収納キャビネット内に設けた収納ラックと、前記収納ラックを昇降する回転アームと、前記回転アームを支持する昇降支持ユニットとを備え、前記収納ラックは、引き出し手段と、前記引き出し手段に設けた収納室の引き出しを停止する停止手段とを有し、前記収納ラックの昇降操作時において、前記停止手段は前記引き出し手段の引き出し操作の有無に応じて嵌脱できる昇降式収納装置。
【請求項２】
引き出し手段は、少なくとも収納ラックに内設された棚部材の下方に位置する第１収納部に備えた請求項１に記載の昇降式収納装置。
【請求項３】
引き出し手段は、収納室と収納室を引き出す可動手段と把手と引き出しストッパーとを備えた請求項１または２に記載の昇降式収納装置。
【請求項４】
収納室は、略全面を棚部材の前方に引き出せる構成とした請求項１、２または３に記載の昇降式収納装置。
【請求項５】
収納室は、有底形状とした請求項３または４に記載の昇降式収納装置。
【請求項６】
収納室は、透過性材料で構成した請求項３、４または５に記載の昇降式収納装置。
【請求項７】
回転アームは、収納ラックの傾斜を防止する傾斜補正手段を備えた請求項１に記載の昇降式収納装置。
【請求項８】
収納ラックは、第１収納部と前記第１収納部よりも幅広の第２収納部を備えた請求項１〜４のいずれか１項に記載の昇降式収納装置。
【請求項９】
第２収納部は、昇降支持ユニットの上方に備えた請求項８に記載の昇降式収納装置。
【発明の詳細な説明】
【０００１】
【発明の属する技術分野】
本発明はキッチンなどで使用する昇降式収納装置に関する。
【０００２】
【従来の技術】
従来この種の昇降式収納装置としては、例えば特開平７−３０３５３４号公報等に記載されるようなものがあり、図５は外観斜視図である。図５に示したように、従来の昇降式収納装置は、収納キャビネット１と、収納キャビネット１内に設けた収納ラック２と、収納ラック２を上下に仕切る棚部材３と、収納ラック２を昇降自在に支持する回転アーム４、５を有する一対の昇降支持装置６とで構成されていた。
【０００３】
収納ラック２は、回転アーム４、５の回動動作により昇降させることができ、収納キャビネット１の前方に設けた扉体７を把手８により開放した後、昇降操作用のハンドル９を持って収納ラック２を引き降ろすことにより、高所に設置された収納キャビネット１から収納ラック２を降下させて、収納物を低い位置で出し入れすることができるようになっていた。なお、１０は回転アーム４、５が同期して回動するように回転アーム４の基部間を連結する連動連結軸である。
【０００４】
【発明が解決しようとする課題】
しかしながら、上記従来の昇降式収納装置では、仕切られた棚部材３より下方の収納ラック２に収納物を出し入れする場合、特に後方にある収納物、また嵩の高い収納物の出し入れにおいて、棚部材３自体が邪魔になり操作が不便という課題を有していた。
【０００５】
また、収納物によっては、一旦前方にある収納物を取り出した後、後方に出し入れする操作が必要という課題を有していた。
【０００６】
本発明は、上記従来の課題を解決もので、収納ラックに引き出し手段を備えることにより、操作効率の良い昇降式収納装置の提供を目的とする。
【０００７】
【課題を解決するための手段】
上記従来の課題を解決するために、本発明の昇降式収納装置は、収納ラックに引き出し手段と、引き出し手段に設けた収納室の引き出しを停止する停止手段とを有し、前記収納ラックの昇降操作時において、停止手段は引き出し手段の引き出し操作の有無に応じて嵌脱できるというものである。これにより収納ラックを引き出すことができるとともに、収納物の出し入れ操作を容易に行うものである。
【０００８】
【発明の実施の形態】
本発明は、収納キャビネットと、前記収納キャビネット内に設けた収納ラックと、前記収納ラックを昇降する回転アームと、この回転アームを支持する昇降支持ユニットとを備え、前記収納ラックは、引き出し手段と、この引き出し手段に設けた収納室の引き出しを停止する停止手段とを有し、前記収納ラックの昇降操作時において、停止手段は引き出し手段の引き出し操作の有無に応じて嵌脱できることにより、収納ラックを引き出すことができるとともに、収納物の出し入れを容易に行うことができ、操作効率の良い昇降式収納装置を提供することができる。
特に収納ラックに収納室の引き出しを停止する停止手段を備えたことにより、収納物による引き出し操作の有無の必要性に対応して、容易にかつ素早く停止手段の嵌脱を行うことができる。
【０００９】
本発明は、特に引き出し手段を少なくとも収納ラックに内設された棚部材の下方に位置する第１収納部に備えたことにより、後方にある収納物、また嵩の高い収納物においても棚部材が邪魔になることを解消することができ、収納物の出し入れを容易に行うことができる。
【００１０】
本発明は、特に引き出し手段に収納室と収納室を引き出す可動手段と把手と引き出しストッパーとを備えたことにより、可動手段と把手によって収納室を容易に引き出すことができるとともに、引き出しストッパーによって引き出し時における収納室および収納物の落下を防止することができる。
【００１１】
本発明は、特に収納室の略全面を棚部材の前方に引き出せる構成としたことにより、収納物の出し入れをさらに容易に行うことができ、操作効率の良い昇降式収納装置を提供することができる。
【００１２】
本発明は、特に収納室を有底形状としたことにより、仮に収納物（特に小物）の落下が生じた場合においても、収納室の外への落下を防止することができ、常に安定した所定の引き出しおよび押し入れ操作を行うことができる。
【００１３】
本発明は、特に収納室を透過性材料で構成したことにより、収納室内の収納物を側面からも容易に確認することができる。
【００１４】
本発明は、特に回転アームに収納ラックの傾斜を防止する傾斜補正手段を備えたことにより、収納ラックや収納物の重量によって、収納ラックが傾斜することを補正して、収納室および収納物の移動を防止することができるとともに、外観的にも使用者に安心感を与えることができる。
【００１６】
本発明は、特に収納ラックに第１収納部と第１収納部よりも幅広の第２収納部を備えたことにより、第２収納部の収納容積を拡大することができるとともに、収納効率の良い昇降式収納装置を提供することができる。
【００１７】
本発明は、特に第２収納部を昇降支持ユニットの上方に備えたことにより、収納ラックの昇降時に昇降支持ユニットとの接触を避けることができるとともに、第２収納部の幅寸法を最大限に大きくすることができ、収納キャビネット内の空間を十分に活用することができる。
【００１８】
【実施例】
以下、本発明の実施例について図１〜図４を参照しながら説明する。
【００１９】
（実施例１）
図１は本発明の実施例１の昇降式収納装置における収納ラックの降下状態を示し、かつ収納室を引き出した状態を示す側断面図、図２は同収納装置における収納ラックの格納状態を示す正面図、図３は同収納装置における収納ラックの降下状態を示し、キッチンへの設置例を示す側断面図である。
【００２０】
図１から図３において、１１はキッチンなどの壁面上方に設置された収納キャビネットで、この収納キャビネット１１の内側の両側面には、前方に収納キャビネット１１の底板１２との接触を回避するために屈曲し、先端を再度逆方向に屈曲した略Ｓの字形状の第１回転アーム１３と、後方に略Ｓの字形アーム１３との接触を回避した略Ｌの字形状の第２回転アーム１４の２本が、同一平面上に設置されるとともに、第１回転アーム１３と第２回転アーム１４とを回転可能に枢支する昇降支持ユニット１５が構成されている。また、こうして第１回転アーム１３を略Ｓの字形状にすることにより、第２回転アーム１４の先端との接触も回避される。
【００２１】
１６は昇降支持ユニット１５の外部に配設されゴム状の緩衝部材１７を有したアームストッパーで、第２回転アーム１４の回動角度を規制するように構成される。１８は左右に対向する第１回転アーム１３の基部間を連結する連動連結軸で、この連動連結軸１８により両第１回転アーム１３が同体回動するように構成される。
【００２２】
１９は収納キャビネット１１の前方に設置され収納キャビネット１１の前面全てを閉塞する扉体で、開閉用のヒンジ２０により左右に自在に開閉されるとともに、扉体１９の外にはこの扉体１９を手動で開閉する扉把手２１が構成される。
【００２３】
２２は通常、収納キャビネット１１及び扉体１９内に格納される収納ラックで、底面２３を前面から背面部まで平面形状に構成する本体２４と、本体２４に連結する合成樹脂などよりなる両サイドの側板２５と、収納ラック２２に内設される線材よりなる棚部材２６により構成され、こうして収納ラック２２は、少なくとも棚部材２６の下方に第１収納部２７と、また上方に第２収納部２８との二つを備えている。
【００２４】
また両側板２５間は下方をパイプなどよりなる昇降操作用のハンドル２９で、上方は第２収納部２８の収納高さを規制するコの字形に曲げたパイプなどよりなる横連結部材３０で連結される。
【００２５】
３１は第１収納部２７に設置される引き出し手段で、有底形状をなし合成樹脂などより透過性材料で構成された収納室３２と、この収納室３２を引き出す可動手段３３であるローラ部材３４、レール部材３５などと、収納ケースを引き出す把手３６と、この収納室３２の略全面が棚部材２６の前方に引き出された状態においてローラ部材３４に当接する引き出しストッパー３７により構成されている。
【００２６】
３８は側板２５に設置され収納室３２の引き出しを停止する停止手段（図２に記載）で、図２は停止手段３８が把手３６に当接して作用している状態を示し、右方向に９０°回動することによりこの停止手段３８は解除するように構成される。
【００２７】
上記した収納ラック２２は、本体２４および側板２５の上端をもって最上部３９とする。
【００２８】
次に昇降支持ユニット１５に枢支された第１回転アーム１３および第２回転アーム１４の先端は、支持部材４０に枢支されるとともに、収納ラック２２を形成する側板２５をこの支持部材４０と連結することにより、四辺の平行リンク機構４１が構成され、収納ラック２２は昇降自在に支持されるものである。
【００２９】
また第１、第２回転アーム１３、１４は、収納ラック２２の傾斜を防止する傾斜補正手段４２を設けている。この傾斜補正手段４２としては、第１回転アーム１３の枢支点間距離Ｒ１を、第２回転アーム１４の枢支点間距離Ｒ２に対し、数mm長く構成している。こうして平行リンク機構４１をわずかに変形させることにより、第１、第２回転アーム１３、１４の枢支点などに隙間が存在するために収納ラック２２や収納物の重量によって発生する収納ラック２２の前方への傾斜を防止するものである。
【００３０】
また昇降支持ユニット１５の内部には、第２回転アーム１４の回動、すなわち収納ラック２２の昇降に連動作用する緩衝手段４３および付勢手段４４の両方、あるいはいずれか一方が構成されている（図１にのみ記載）。
【００３１】
上記の構成において、収納ラック２２の降下時は、使用者が扉体１９を開放した後、ハンドル２９を持って収納ラック２２の引き降ろすと、収納ラック２２は昇降支持ユニット１５が回転可能に枢支する第１、第２回転アーム１３、１４が構成する平行リンク機構４１と傾斜補正手段４２により、常に水平状態で図１に一点鎖線で示す如く円弧状に回動して、最大降下位置に降下される。この間緩手段４３、付勢手段４４は、収納ラック２２がゆっくり降下するように作用する。
【００３２】
この実施例では、アームストッパー１６によって収納ラック２２は、その最上部３９が収納キャビネット１１の底板１２の高さと略同等高さで停止するように構成されている。
【００３３】
そして、収納ラック２２の最大降下位置で第１収納部２７に設置された収納室３２を引き出し、収納物を出し入れした後、収納室３２を所定位置に押し入れる。また第２収納部２８への収納物の出し入れは従来と同様である。
【００３４】
収納ラック２２の上昇格納時は、再度ハンドル２９を持って収納ラック２２を押し上げると、収納ラック２２は降下時と同様に円弧状に回動して、収納キャビネット１１内でアームストッパー１６により所定位置で停止し格納されるものである。この間付勢手段４４は、収納ラック２２を上昇する際の操作力が小さくなるように作用する。
【００３５】
次に本発明の昇降式収納装置の設置例について説明する。
【００３６】
図３に示すように、収納キャビネット１１は、標準的なウォールキャビネットを想定し、外形寸法で高さ７００mm、奥行３５０mmを採用した。収納キャビネット１１の標準設置高さは、昇降式収納装置の下方に設置するフロアキャビネット４５などとの距離的な関係で、床面４６から収納キャビネット１１の天面４７まで２３００mm前後が一般的である。またこの収納キャビネット１１に格納される収納ラック２２および横連結部材３０の総高さ（Ａ）は、約６００mmである。
【００３７】
収納ラック２２の最大降下位置において、収納ラック２２の最上部３９と収納キャビネット１１の底板１２の高さを、略同等高さに構成すると、収納キャビネット１１の底板１２から収納ラック２２の底面２３までの距離（Ｂ）は、４５０mm前後となる。
【００３８】
したがって、収納ラック２２の最大降下位置において、床面４６から収納ラック２２の底面２３までの距離（Ｃ）は、１１５０mm前後となる。また、同じく床面４６から横連結部材３０までの距離（Ｄ）は、１７５０mm前後となる。また、この時収納ラック２２の棚部材２６の高さは、床面４６から１４００mm前後となり、成人女性（老人を除く）の約９０％の目線と同等高さになるように構成されている。
【００３９】
出し入れ可能な高さは、およそ両腕を上げた状態の親指の高さまでであり、指関節までの高さとすることができる。成人女性（老人を除く）では、指先までの高さ（上肢拳上指先端高）から指先の長さ（第三指長）を引いた１０パーセンタイル値は１８００mmであり、すなわち、本昇降式収納装置の設置例では、約９０％の成人女性が収納ラック２２の最上部３９以上、横連結部材３０まで手が届き、収納物を出し入れすることができるとともに、収納ラック２２の全収納容積を有効に活用することができる。
【００４０】
以上のように、収納ラック２２に引き出し手段３１を備えたことにより、収納ラック２２を引き出すことができるとともに、収納物の出し入れを容易に行うことができ、操作効率の良い昇降式収納装置を提供することができる。
【００４１】
また、引き出し手段３１を少なくとも収納ラック２２に内設された棚部材２６の下方に位置する第１収納部２７に備えたことにより、後方にある収納物、また嵩の高い収納物においても棚部材２６が邪魔になることを解消することができ、収納物の出し入れを容易に行うことができる。
【００４２】
また、引き出し手段３１に収納室３２と収納室３２を引き出す可動手段３３と把手３６と引き出しストッパー３７とを備えたことにより、可動手段３３と把手３６によって収納室３２を容易に引き出すことができるとともに、引き出しストッパー３７によって引き出し時における収納室３２および収納物の落下を防止することができる。
【００４３】
また、収納室３２の略全面を棚部材２６の前方に引き出せる構成としたことにより、収納物の出し入れをさらに容易に行うことができ、操作効率の良い昇降式収納装置を提供することができる。
【００４４】
また、収納室３２を有底形状としたことにより、仮に収納物（特に小物）の落下が生じた場合においても、収納室３２の外への落下を防止することができ、常に安定した所定の引き出しおよび押し入れ操作を行うことができる。
【００４５】
また、収納室３２を透過性材料で構成したことにより、収納室３２内の収納物を側面からも容易に確認することができる。
【００４６】
また、回転アーム１３、１４に収納ラック２２の傾斜を防止する傾斜補正手段４２を備えたことにより、収納ラック２２や収納物の重量によって、収納ラック２２が傾斜することを補正して、収納室３２および収納物の移動を防止することができるとともに、外観的にも使用者に安心感を与えることができる。
【００４７】
また、収納ラック２２に収納室３２の引き出しを停止する停止手段３８を備えたことにより、収納物による引き出し操作の有無の必要性に対応して、容易にかつ素早く停止手段３８の嵌脱を行うことができる。
【００４８】
（実施例２）
図４は本発明の実施例２の昇降式収納装置における収納ラックの格納状態を示す正面図である。
【００４９】
実施例１と異なる点は、収納ラック４８に第１収納部５３と第１収納部５３よりも幅広の第２収納部５６を備えた点である。
【００５０】
なお、前記実施例と同一の構成については同一番号を附記して説明を省略する。
【００５１】
４８は収納ラックで、底面４９を前面から背面部まで平面形状に構成する本体５０と、本体５０に連結する合成樹脂などよりなる両サイドの側板５１と、収納ラック４８に内設される線材よりなる棚部材５２により構成され、こうして収納ラック４８は、棚部材５２の下方に引き出し手段３１が設置される第１収納部５３と、また格納時において昇降支持ユニット１５より上方を、回転アーム５４、５５と本体５０および側板５１により幅広に構成した第２収納部５６とを備えている。
【００５２】
また棚部材５２は、収納物の載置面を第２収納部５６の底面５７と同等高さに構成される。
【００５３】
以上のように、収納ラック４８に第１収納部５３と第１収納部５３よりも幅広の第２収納部５６を備えたことにより、第２収納部５６の収納容積を拡大することができるとともに、収納効率の良い昇降式収納装置を提供することができる。
【００５４】
また、第２収納部５６を昇降支持ユニット１５の上方に備えたことにより、収納ラック４８の回動昇降時に昇降支持ユニット１５との接触を避けることができるとともに、第２収納部５６の幅寸法を最大限に大きくすることができ、収納キャビネット１１内の空間を十分に活用することができる。
【００５５】
【発明の効果】
以上のように、本発明によれば、収納ラックに引き出し手段を備えることにより、収納ラックを引き出すことができるとともに、収納物の出し入れを容易に行うことができ、操作効率の良い昇降式収納装置を提供することができる。
【図面の簡単な説明】
【図１】本発明の実施例１の昇降式収納装置における収納ラックの降下状態を示し、かつ収納室を引き出した状態を示す側断面図
【図２】同収納装置における収納ラックの格納状態を示す正面図
【図３】同収納装置における収納ラックの降下状態を示し、キッチンへの設置例を示す側断面図
【図４】本発明の実施例２の昇降式収納装置における収納ラックの格納状態を示す正面図
【図５】従来の昇降式収納装置における外観斜視図
【符号の説明】
１１  収納キャビネット
１３  第１回転アーム
１４  第２回転アーム
１５  昇降支持ユニット
２２  収納ラック
２６  棚部材
２７  第１収納部
３１  引き出し手段
３２  収納室
３３  可動手段
３６  把手
３７  引き出しストッパー
３８  停止手段
４２  傾斜補正手段
５３  第１収納部
５６  第２収納部
【図１】
0004655417.tif 000002
【図２】
0004655417.tif 000003
【図３】
0004655417.tif 000004
【図４】
0004655417.tif 000005
【図５】
0004655417.tif 000006